(57)【要約】【課題】輸送時に箱体に梱包させる際の梱包コストを低減させる油入静止誘導電気機器の別置形放熱器を提供することにある。【解決手段】変圧器やリアクトル等の電気機器本体を収容するタンク５に上部導油管６及び下部導油管７を介して設けられ、上部導油管及び下部導油管とそれぞれ連通する上部共通油導配管１と下部共通油導配管２との間にパネル放熱器３が配置されて着脱自在に接続されると共に、上部共通油導配管と下部共通油導配管とが大地に設置されて平面的に構成された２つの架台４ａ，４ｂを介して離れた状態で支持されて架台が分割可能に構成する。さらに、上部共通油導配管１及び下部共通油導配管２が架台とそれぞれ分離されるように構成する。【選択図】図１
2008085260.tif 000002
【特許請求の範囲】
【請求項１】
変圧器やリアクトル等の電気機器本体を収容するタンクに上部導油管及び下部導油管を介して設けられ、前記上部導油管及び下部導油管とそれぞれ連通する上部共通油導配管と下部共通油導配管との間にパネル放熱器が配置されて着脱自在に接続されると共に、前記上部共通油導配管と下部共通油導配管とが大地に設置されて平面的に構成された２つの架台を介して離れた状態で支持されて前記架台が分割可能に構成された静止誘導電気機器の別置形放熱器において、
前記上部共通油導配管及び下部共通油導配管が前記架台とそれぞれ分離されるように構成された油入静止誘導電気機器の別置形放熱器。
【請求項２】
前記架台が分割されるように上部架台と下部架台とから構成された請求項１に記載の油入静止誘導電気機器の別置形放熱器。
【請求項３】
請求項１に記載の油入静止誘導電気機器の別置形放熱器の輸送方法であって、
前記パネル放熱器が取り外された状態で、前記上部共通油導配管及び下部共通油導配管を前記架台とそれぞれ分離させ、
前記上部共通油導配管と下部共通油導配管とを横たえさせると共に、前記架台を横たえさせて積み重ねた状態で輸送する油入静止誘導電気機器の別置形放熱器の輸送方法。
【請求項４】
請求項２に記載の油入静止誘導電気機器の別置形放熱器の輸送方法であって、
前記パネル放熱器が取り外された状態で、前記上部共通油導配管及び下部共通油導配管を前記架台とそれぞれ分離させ、前記架台を前記上部架台と下部架台とに分離させ、
前記上部共通油導配管と下部共通油導配管とを横たえさせると共に、前記上部架台及び下部架台を横たえさせて積み重ねた状態で輸送する油入静止誘導電気機器の別置形放熱器の輸送方法。
【発明の詳細な説明】
【技術分野】
【０００１】
本発明は、分割可能に構成された、変圧器やリアクトル等の油入静止誘導電気機器の別置形放熱器及びその輸送方法に関するものである。
【背景技術】
【０００２】
変圧器やリアクトル等の大型の油入静止誘導電気機器には別置形放熱器が多用されており、陸上輸送または海上輸送の際に、油入静止誘導電気機器本体はもちろん、別置形放熱器も分割可能となるように構成されている。
【０００３】
図３（Ａ）は従来の油入静止誘導電気機器の別置形放熱器の概略構成を示す正面図、（Ｂ）はその右側面図である。この別置形放熱器は図示するように、上部共通油導配管１及び下部共通油導配管２と２つの架台２４ａ，２４ｂとからなり、電気機器本体（図示せず）を収容するタンク５に上部導油管６及び下部導油管７を介して設けられている。
【０００４】
上部共通油導配管及１び下部共通油導配管２は、上部導油管６及び下部導油管７とそれぞれ連通するように設けられ、タンク５の側面方向に適宜の間隔で配置された複数のパネル放熱器本体からなるパネル放熱器３がタンク５の側面に沿って適宜の間隔で配置されると共に、上部共通油導配管１及び下部共通油導配管２に連通されて着脱自在７に接続された状態で、上部共通油導配管１及び下部共通油導配管２が大地に設置された２つの架台２４ａ，２４ｂを介して支持されている。
【０００５】
架台２４ａ，２４ｂは、それぞれ上下に分割されるように構成された上部架台１４a1，１４b1と下部架台１４a2，１４b2とからなり、それぞれ例えばＣチャンネルの鋼材を用いて平面的かつ台形状に構成されると共に、大地にボルト締めされて固定されており、上部架台４a1，４b1の下部及び下部架台２４a2，２４b2の上部には連結穴が貫通してそれぞれ設けられ、これらの連結穴を介してボルト締めされて固定され、上部架台４a1，４b1には上部共通油導配管１が溶接により取り付けられ、また、下部架台２４a2，２４b2には下部共通油導配管２が溶接により取り付けられている。
【０００６】
上記の別置形放熱器を輸送する際には、上部架台２４a1，２４b1と下部架台２４a2，２４b2とのボルト締めをそれぞれ解き、ボルトを外して上部架台２４a1，２４b1を分離させる。その後、上部共通油導配管１と上部架台２４a1，２４b1とが固定された状態で上部架台４a1，４b1の下端部で起立させると共に、下部共通油導配管２と下部架台２４a2，２４b2とが固定された状態で下部架台２４a2，２４b2の下端部で起立させて輸送手段に載置させている。
【０００７】
このように構成され、輸送される油入静止誘導電気機器の別置形放熱器は、例えば、特許文献１に示されている。
【特許文献１】特開平５−２１７７５８号公報（図１ないし図４）
【発明の開示】
【発明が解決しようとする課題】
【０００８】
従来の別置形放熱器は、２つの架台２４ａ，２４ｂが上下に分割可能に構成されており、それぞれ分離させても上部共通油導配管１と上部架台２４a1，２４b1とが接続され、また、下部共通油導配管２と下部架台２４a2，２４b2とが接続されたままであり、輸送時にはこの状態でトレーラ、鉄道、海外向けへの船等の輸送手段に載置させることになる。しかしながら、海上輸送の場合、輸送コストは体積による影響が大きいので、上記の状態では、輸送コストがまだまだ低減されていないという問題がある。また、梱包させる必要があり、梱包コストがまだまだ低減されていないという問題がある。
【０００９】
本発明の目的は、輸送時に箱体に梱包させる際の梱包コストを低減させる油入静止誘導電気機器の別置形放熱器を提供することにある。
【００１０】
本発明の他の目的は、輸送コストを大幅に低減させる油入静止誘導電気機器の別置形放熱器の輸送方法を提供することにある。
【課題を解決するための手段】
【００１１】
第１の発明は、変圧器やリアクトル等の電気機器本体を収容するタンクに上部導油管及び下部導油管を介して設けられ、上部導油管及び下部導油管とそれぞれ連通する上部共通油導配管と下部共通油導配管との間にパネル放熱器が配置されて着脱自在に接続されると共に、上部共通油導配管と下部共通油導配管とが大地に設置されて平面的に構成された２つの架台を介して離れた状態で支持されて架台が分割可能に構成された静止誘導電気機器の別置形放熱器を対象とし、上部共通油導配管及び下部共通油導配管が架台とそれぞれ分離されるように構成したものである。
【００１２】
第２の発明は、架台が分割されるように上部架台と下部架台とから構成するようにしたものである。
【００１３】
第３の発明は、第１の発明の油入静止誘導電気機器の別置形放熱器の輸送方法を対象とし、パネル放熱器が取り外された状態で、上部共通油導配管及び下部共通油導配管を架台とそれぞれ分離させ、上部共通油導配管と下部共通油導配管とを横たえさせると共に、架台を横たえさせて積み重ねた状態で輸送するようにしたものである。
【００１４】
第４の発明は、第２の発明の油入静止誘導電気機器の別置形放熱器の輸送方法を対象とし、パネル放熱器が取り外された状態で、上部共通油導配管及び下部共通油導配管を架台とそれぞれ分離させ、架台を上部架台と下部架台とに分離させ、上部共通油導配管と下部共通油導配管とを横たえさせると共に、上部架台及び下部架台を横たえさせて積み重ねた状態で輸送するようにしたものである。
【発明の効果】
【００１５】
以上のように、第１の発明によれば、輸送時に箱体に梱包させる際に、架台の高さ寸法が大幅に低減されるので、梱包コストを低減させることができる。
【００１６】
第２の発明によれば、第１の発明の効果に加えて、架台の高さが共通油導配管よりも大きくなる場合、分離された架台の配置により、輸送時に箱体に梱包させる際に、架台の長手寸法が維持されるので、梱包コストを抑えることができる。
【００１７】
第３の発明によれば、輸送時に梱包させる箱体の高さ寸法が大幅に低減され、箱体の体積が低減されるので、輸送コストを大幅に低減させることができる。
【００１８】
第４の発明によれば、第３の発明の効果に加えて、架台の高さが共通油導配管よりも大きくなる場合、分離された架台の配置により、輸送時に梱包させる箱体の高さ寸法が維持されるので、輸送コストを抑えることができる。
【発明を実施するための最良の形態】
【００１９】
図１（Ａ）は本発明に係る油入静止誘導電気機器の別置形放熱器の第１の実施形態の要部の概略構成を示す正面図、（Ｂ）は図１（Ａ）のイ
−イ線断面矢視図である。この別置形放熱器は図示するように、上部共通油導配管１及び下部共通油導配管２とパネル放熱器３と２つの架台４ａ，４ｂとからなり、電気機器本体（図示せず）を収容するタンク５に上部導油管６及び下部導油管７を介して設けられている。
【００２０】
上部共通油導配管及１及び下部共通油導配管２は筒状の角鋼材からなり、上部導油管６及び下部導油管７とそれぞれ連通するように設けられ、タンク５の側面方向に適宜の間隔で配置された複数のパネル放熱器本体からなるパネル放熱器３がタンク５の側面に沿って適宜の間隔で配置されると共に、上部共通油導配管１及び下部共通油導配管２に連通して着脱自在に接続された状態で、上部共通油導配管１及び下部共通油導配管２が大地に設置された２つの架台４ａ，４ｂを介して離れた状態で支持されている。
【００２１】
架台４ａ，４ｂは、それぞれ例えばＣチャンネルの鋼材を用いて平面的かつ例えば台形状に構成されている。
【００２２】
上部共通油導配管１には、２つの架台４ａ，４ｂと分離されるように、その下端面に例えばＣチャンネルの鋼材からなる上部取付部材８ａ，８ｂがその上端面を当接させて溶接により取り付けられ、下部共通油導配管２には、２つの架台４ａ，４ｂと分離されるように、その下端部にＣチャンネルの鋼材からなる下部取付部材９ａ，９ｂがその上端面を当接させて溶接により取り付けられている。また、上部取付部材８ａ，８ｂの下端面及び架台４ａ，４ｂの上端部にはそれぞれ連結穴が貫通して設けられ、下部取付部材９ａ，９ｂの下端面及び架台４ａ，４ｂの下端部にはそれぞれ連結穴が貫通して設けられ、これらの連結穴を介して上部取付部材８ａ，８ｂ及び下部取付部材９ａ，９ｂと架台４ａ，４ｂとがそれぞれボルト締めされ、上部共通油導配管１及び下部共通油導配管２が２つの架台４ａ，４ｂにそれぞれ固定されている。
【００２３】
上記の別置形放熱器を輸送する際には、上部取付部材８ａ，８ｂと架台４ａ，４ｂとのボルト締めをそれぞれ解いてボルトを外し、また、下部取付部材９ａ，９ｂと架台４ａ，４ｂとのボルト締めをそれぞれ解いてボルトを外し、上部共通油導配管１及び下部共通油導配管２を分離させる。その後、幅がＷ1 、長さがＬ1 、高さがＨ1 の木枠で構成した箱体内に架台４ａ，４ｂを横たえさせて積み重ね、さらに、上部共通油導配管１及び下部共通油導配管２を横たえさせ、例えば、架台４ａ，４ｂに並べた状態で梱包する。このＷ1 は、図１（Ｂ）に示す架台４ａの下端部のＷに上部共通油導配管１及び下部共通油導配管２の幅がそれぞれ加わった寸法に対応させ、Ｌ1 は架台４ａ，４ｂの高さが図１（Ａ）に示す上部共通油導配管１のＬよりも小さい場合、このＬに対応させ、Ｈ1 は図１（Ｂ）に示す、上部取付部材８ａが取り付けられた上部共通油導配管１のＨに対応させることができる。
【００２４】
図２（Ａ）は本発明に係る油入静止誘導電気機器の別置形放熱器の第２の実施形態の要部の概略構成を示す正面図、（Ｂ）は図２（Ａ）のイ
−イ
線断面矢視図である。この別置形放熱器は図示するように、上部共通油導配管１及び下部共通油導配管２とパネル放熱器３と２つの架台１４ａ，１４ｂとからなり、電気機器本体（図示せず）を収容するタンク５に上部導油管６及び下部導油管７を介して設けられている。
【００２５】
上部共通油導配管及１及び下部共通油導配管２は筒状の角鋼材からなり、上部導油管６及び下部導油管７とそれぞれ連通するように設けられ、タンク５の側面方向に適宜の間隔で配置された複数のパネル放熱器本体からなる複数のパネル放熱器３がタンク５の側面に沿って適宜の間隔で配置されると共に、上部共通油導配管１及び下部共通油導配管２に連通して着脱自在に接続された状態で、上部共通油導配管１及び下部共通油導配管２が大地に設置された２つの架台１４ａ，１４ｂを介して離れた状態で支持されている。
【００２６】
架台１４ａ，１４ｂは、それぞれ上下に分割されるように構成された上部架台１４a1，１４b1と下部架台１４a2，１４b2とからなり、それぞれ例えばＣチャンネルの鋼材を用いて平面的かつ例えば台形状に構成されており、上部架台１４a1，１４b1の下端部に形成された上部取付座１４ａ11，１４ｂ11及び下部架台２４a2，２４b2の上端部に形成された下部取付座１４ａ21，１４ｂ21にはそれぞれ連結穴が貫通して設けられ、これらの連結穴を介してボルト締めされて固定されいる。
【００２７】
上部共通油導配管１には、２つの架台１４ａ，１４ｂと分離されるように、その下端面に例えばＣチャンネルの鋼材からなる上部取付部材８ａ，８ｂがその上端面を当接させて溶接により取り付けられ、下部共通油導配管２には、２つの架台１４ａ，１４ｂと分離されるように、その下端部にＣチャンネルの鋼材からなる下部取付部材９ａ，９ｂがその上端面を当接させて溶接により取り付けられている。また、上部取付部材８ａ，８ｂの下端面及び架台１４ａ，１４ｂの上端部にはそれぞれ連結穴が貫通して設けられ、下部取付部材９ａ，９ｂの下端面及び架台１４ａ，１４ｂの下端部にはそれぞれ連結穴が貫通して設けられ、これらの連結穴を介して上部取付部材８ａ，８ｂ及び下部取付部材９ａ，９ｂと架台１４ａ，１４ｂとがそれぞれボルト締めされ、上部共通油導配管１及び下部共通油導配管２が２つの架台１４ａ，１４ｂにそれぞれ固定されている。
【００２８】
上記の別置形放熱器を輸送する際には、まず上部取付部材８ａ，８ｂと架台１４ａ，１４ｂとのボルト締めをそれぞれ解いてボルトを外し、また、下部取付部材９ａ，９ｂと架台１４ａ，１４ｂとのボルト締めをそれぞれ解いてボルトを外し、上部共通油導配管１及び下部共通油導配管２と架台１４ａ，１４ｂとを分離させる。つぎに、上部架台１４a1，１４b1と下部架台１４a2，１４b2とのボルト締めをそれぞれ解き、ボルトを外して上部架台１４a1，１４b1を分離させる。その後、幅寸法がＷ2 、長手寸法がＬ2 、高さ寸法がＨ2 の木枠で構成した箱体内に上部架台１４a1，１４b1と下部架台１４a2，１４b2とを横たえさせてそれぞれ積み重ね、さらに、上部共通油導配管１及び下部共通油導配管２を横たえさせ、例えば、架台４ａ，４ｂに並べた状態で梱包する。このＷ2 は、図２（Ｂ）に示す架台１４ａの下端部のＷに上部共通油導配管１及び下部共通油導配管２の幅がそれぞれ加わった寸法に対応させ、Ｌ2 は架台１４ａ，１４ｂの高さが図２（Ａ）に示す上部共通油導配管１のＬよりも大きくなる場合、上部架台１４a1，１４b1と下部架台１４a2，１４b2との配置を変えることにより、このＬに対応させ、Ｈ2 は図２（Ｂ）に示す、上部取付部材８ａが取り付けられた上部共通油導配管１のＨに対応させることができる。
【図面の簡単な説明】
【００２９】
【図１】（Ａ）は本発明に係る油入静止誘導電気機器の別置形放熱器の第１の実施形態の要部の概略構成を示す正面図、（Ｂ）は図１（Ａ）のイ−イ線断面矢視図である。
【図２】（Ａ）は本発明に係る油入静止誘導電気機器の別置形放熱器の第２の実施形態の要部の概略構成を示す正面図、（Ｂ）は図２（Ａ）のイ−イ線断面矢視図である。
【図３】（Ａ）は従来の油入静止誘導電気機器の別置形放熱器の概略構成を示す正面図、（Ｂ）はその右側面図である。従来の低騒音静止誘導電気機器の一例を示す概略構成正面図である。
【符号の説明】
【００３０】
１  上部共通油導配管
２  下部共通油導配管
３  パネル放熱器
４ａ，４ｂ  架台
５  タンク
６  上部導油管
７  下部導油管
１４ａ，１４ｂ  架台
１４a1，１４b1  上部架台
１４a2，１４b2  下部架台
【図１】
2008085260.tif 000003
【図２】
2008085260.tif 000004
【図３】
2008085260.tif 000005